(57)【要約】【課題】簡単な構成からなり電線に取り付けるのみでスリーブが中央に位置するように取り付けられ、電線に沿って不必要に移動しないスリーブカバーを提供する。【解決手段】電線Ｗを挿通するように中心軸線方向の両端が開放し該電線ＷのスリーブＳに被覆する筒状のカバー本体１と、電線Ｗを挿通するように中心軸線方向の両端が開放しカバー本体１の両端開放口２にそれぞれ同じ長さ嵌入して接続される一対の栓体３と、からなり、カバー本体１と各栓体３には互いに係脱自在に係合する係合部６と被係合部４を設け、各栓体３の中心軸線方向の一端側をカバー本体１の各開放口２に嵌入すると共に係合部６と被係合部４とを互いに係合して接続した状態では、各栓体３におけるカバー本体１内の先端がスリーブＳの中心軸線方向の両端面にそれぞれ対向位置し電線Ｗに沿った該カバー本体１の移動が規制されるようにした。【選択図】図５
2012119155.tif 000002
【特許請求の範囲】
【請求項１】
電線を挿通するように中心軸線方向の両端が開放し該電線のスリーブに被覆する筒状のカバー本体と、電線を挿通するように中心軸線方向の両端が開放し前記カバー本体の両端開放口にそれぞれ同じ長さ嵌入して接続される一対の栓体と、からなり、
前記カバー本体と前記各栓体には互いに係脱自在に係合する係合部と被係合部を設け、前記各栓体の中心軸線方向の一端側を前記カバー本体の各開放口に嵌入すると共に前記係合部と被係合部とを互いに係合して接続した状態では、前記各栓体における前記カバー本体内の先端が前記スリーブの中心軸線方向の両端面にそれぞれ対向位置し電線に沿った該カバー本体の移動が規制されるようにしたことを特徴とするスリーブカバー。
【請求項２】
前記各栓体の外周面に外部と連通する複数の水抜き孔が開設されている請求項１記載のスリーブカバー。
【発明の詳細な説明】
【技術分野】
【０００１】
本発明は、高圧配電線といった電線を直線スリーブにより接続する場合に該スリーブを被覆するスリーブカバーに関するものである。
【背景技術】
【０００２】
従来、この種スリーブカバーには、例えば特許文献１に示されるようなスリーブカバーがある。すなわち、該スリーブカバーは、中心軸線方向で分断され一方の電線側と他方の電線側とにそれぞれ分割して取り付けられる２つの筒状の分割カバーからなる。更に詳しく説明すると、一方の第一分割カバーは、一方の電線が挿通される内径を有すると共にスリーブ側の外周面に連結するために複数の突起が設けられている。これに対し、他方の第二分割カバーは、他方の電線が挿通される内径を有すると共にスリーブ側が前記第一分割カバーを挿通するように該第一分割カバーよりも一回り大きく太径に形成されている。また第二分割カバーの太径部には、前記第一分割カバーの各突起が係脱自在に係合する複数の凹欠孔が設けられている。
【０００３】
そして、一方の電線に第一分割カバーを取り付けると共に他方の電線に第二分割カバーを取り付けた状態で、両電線の芯線端部同士を直線スリーブにより接続する。次に、第一・第二分割カバーをそれぞれ互いに中央のスリーブ側へ移動させ、第一分割カバーのスリーブ側を第二分割カバーのスリーブ側に嵌入すると同時に、各突起を各凹欠孔に係合させる。これにより、スリーブカバーの取り付けを完了する（例えば、特許文献１参照。）。
【先行技術文献】
【特許文献】
【０００４】
【特許文献１】特開２００６−２１６３０９号公報（第４−５頁、図１乃至図３）
【発明の概要】
【発明が解決しようとする課題】
【０００５】
ところで、前記特許文献１に係るようなスリーブカバーにおいては、電線端部の芯線や充電部であるスリーブが剥き出しになっていることから、沿面距離が短すぎて危険な状態にならないようにスリーブカバーの中心軸線方向における中央にスリーブが位置し、しかも、スリーブに対しスリーブカバーが電線に沿って不必要に移動しないことが必要である。そこで、スリーブカバーの中心軸線方向の両端部でありそれら内周面に、電線に沿って該電線の外周面に圧接する複数本のリブが列設されている。そして、スリーブカバーを電線に取り付けスリーブを被覆した状態では、前記各リブが電線の外周面に圧接することによる摩擦力でスリーブカバーの不必要な移動を起こさせないようにしている。
【０００６】
しかしながら、特許文献１のスリーブカバーにあっては、スリーブにスリーブカバーを被覆するとき、内部が見えずしかも基準となる印も無いことから、当初からスリーブカバー内部の中央にスリーブを位置させてスリーブカバーを電線に取り付けることは難しいという課題が有った。また、長年の使用により前記各リブが経年変化を起こし硬化してその摩擦力が軽減すると、スリーブカバーは他に固定する手段を持ち得てないことから、衝撃や振動など外部圧力が加わることにより電線に沿って不必要に移動し沿面距離が短くて危険な状態になったり、スリーブの一部が外部に露出してしまうといった危険性も有った。
【０００７】
そこで、本発明は上記課題を解決すべくなされたもので、簡単な構成からなり電線に取り付けるのみでスリーブが中央に位置するように取り付けられ、しかも、電線に沿って不必要に移動しない斬新なスリーブカバーを提供することを目的とするものである。
【課題を解決するための手段】
【０００８】
かかる目的を達成するため本発明のスリーブカバーは、電線を挿通するように中心軸線方向の両端が開放し該電線のスリーブに被覆する筒状のカバー本体と、電線を挿通するように中心軸線方向の両端が開放し前記カバー本体の両端開放口にそれぞれ同じ長さ嵌入して接続される一対の栓体と、からなり、前記カバー本体と前記各栓体には互いに係脱自在に係合する係合部と被係合部を設け、前記各栓体の中心軸線方向の一端側を前記カバー本体の各開放口に嵌入すると共に前記係合部と被係合部とを互いに係合して接続した状態では、前記各栓体における前記カバー本体内の先端が前記スリーブの中心軸線方向の両端面にそれぞれ対向位置し電線に沿った該カバー本体の移動が規制されるようにしたことを特徴とする。
【０００９】
この際、前記各栓体の外周面に外部と連通する複数の水抜き孔を開設することが好ましい。
【発明の効果】
【００１０】
本発明に係るスリーブカバーは、各栓体の中心軸線方向の一端側をカバー本体の各開放口にそれぞれ同じ長さ嵌入すると共に係合部と被係合部とを互いに係合して接続した状態では、各栓体におけるカバー本体内の先端がスリーブの中心軸線方向の両端面にそれぞれ対向位置し、スリーブがスリーブカバーの中央に位置すると共に該スリーブカバーの電線に沿った移動も規制される。このように、カバー本体の両端開放口に嵌入させる両栓体によりスリーブを両側から挟むようにしているので、スリーブを中央に位置させた状態で該スリーブにスリーブカバーを被覆できる。しかも、簡単な構成からなるのでスリーブカバーが安価に提供できる。また、電線の中心軸線方向で両栓体によりスリーブを両側から挟むようにしてスリーブカバーが電線のスリーブに取り付けられるので、該スリーブカバーを長期に亘って使用しても電線に沿って不必要に移動することがなく、沿面距離が短くて危険な状態になったりスリーブの一部が外部に露出してしまうといった危険性が回避される。
【００１１】
更に、カバー本体の両端開放口に栓体を嵌入する構成であるから、栓体の肉厚を極力薄くすることによりカバー本体の外径をできる限り電線の外径に近づけることができる。これにより、樹木の枝などによって表面に傷が付かないように電線に被着する電線保護カバーの外径も小さくでき好適である。しかも、該電線保護カバーの外径を小さくできることから、その風圧抵抗を減少させられるという利点もある。
【００１２】
更にまた、栓体の外周面に外部と連通する複数の水抜き孔を開設するようにしているので、スリーブカバー内に流入する雨水を簡単に排出させることができ、スリーブカバー内に雨水が溜らないことから、スリーブの劣化や送電障害が防止できる。
【図面の簡単な説明】
【００１３】
【図１】本発明に係るスリーブカバーの分解斜視図。
【図２】（イ）は同スリーブカバーの組み立てた状態の拡大縦断面図、（ロ）は図２（イ）のＸ−Ｘ線拡大断面図。
【図３】同スリーブカバーの取付手順を示す断面図。
【図４】同スリーブカバーの取付手順を示す断面図。
【図５】同スリーブカバーの電線への取付状態を示す断面図。
【図６】他のスリーブカバーの分解斜視図。
【図７】（イ）は同スリーブカバーの組み立てた状態の拡大縦断面図、（ロ）は図７（イ）のＹ−Ｙ線拡大断面図。
【図８】同スリーブカバーの取付手順を示す断面図。
【図９】同スリーブカバーの取付手順を示す断面図。
【図１０】同スリーブカバーの電線への取付状態を示す断面図。
【発明を実施するための形態】
【００１４】
以下、本発明に係るスリーブカバーの最良の実施の形態を図面に基づき詳しく説明する。図１は本発明に係るスリーブカバーの分解斜視図、図２（イ）は同スリーブカバーの組み立てた状態の拡大縦断面図、（ロ）は図２（イ）のＸ−Ｘ線拡大断面図である。本発明に係るスリーブカバーＡは、所定の長さと所定の外径を有すると共に中心軸線方向の両端が開放する直線筒状のカバー本体１と、中心軸線方向の両端が開放し該カバー本体１の両端開放口２，２内にそれぞれ嵌入して接続される一対の栓体３，３と、からなる。これらカバー本体１と一対の栓体３，３とは、共に同じ難燃性ポリエチレン樹脂により成形される。しかも、スリーブカバーＡはカーボンが含有され不透明である。カバー本体１における中心軸線方向の両端部の外周面に、それぞれ対向位置して一対の被係合部としての係合孔４，４が開設されている。
【００１５】
一方、各栓体３は中心軸線方向の両端が開放する短筒状に形成される。すなわち、中心軸線方向の外半部３ａはその外端縁に進むに従い漸次外径が小さくなるテーパー状に形成され、外半部３ａにおける反対側の内端縁の外径がカバー本体１の外径と同じに設定される。該外半部３ａの内端縁と連なる内半部３ｂは、真直ぐな円筒状をなしその外径が前記カバー本体１の内径よりも僅かに小さく設定されている。よって、外半部３ａと内半部３ｂとは、段差部５を介して連なることになる。また、内半部３ｂの段差部５側には、前記カバー本体１の両端部に開設された各係合孔４に係脱自在に係合する係合部としての一対の係合突起６，６が突設されている。
【００１６】
内半部３ｂの中心軸線方向の長さは、カバー本体１の中心軸線方向の両端の開放口２に内半部３ｂを嵌入し各係合孔４に各係合突起６を係合させたとき、その内半部３ｂの内端縁３ｃが後記するスリーブＳの中心軸線方向の端面Ｓ１，Ｓ１に対向位置して当接するように設定される。これにより、スリーブＳはその両端面Ｓ１，Ｓ１を各栓体３における内半部３ｂの内端縁３ｃにより両側から挟まれることになり、かつスリーブＳがスリーブカバーＡの中央に位置する。各栓体３における内半部３ｂの段差部５側には、その外周面の周囲に沿って縦長の水抜き孔７が等間隔に開設されている。
【００１７】
次に、本発明に係るスリーブカバーの電線への取付方法を説明する。図３乃至図４はスリーブカバーの取付手順を示す断面図、図５はスリーブカバーの電線への取付状態を示す断面図である。まず、電線Ｗについて説明する。該電線Ｗは高圧配電線であり、該電線Ｗを接続するには、図３に示すようにカバー本体１の一方の開放口２に一方の栓体３を嵌入すると共に各係合突起６を各係合孔４に係合する。このようなカバー本体１に一方の電線Ｗ１を挿通する。また他方の栓体３に、他方の電線Ｗ２を挿通する。
【００１８】
そして、図４に示すように両電線Ｗ１，Ｗ２の芯線Ｄ１，Ｄ２端部同士を直線スリーブＳによって接続した後に、図５に示すように前記カバー本体１によりスリーブＳを被覆すると共に該カバー本体１の一端開放口２に他方の栓体３を嵌入して、各係合孔４に各係合突起６を係合させる。このとき図５に示すように、スリーブＳの中心軸方向の両端面Ｓ１，Ｓ１に各栓体３における内半部３ｂの内端縁３ｃが当接してスリーブＳを電線Ｗの中心軸線における両側から挟む。また、カバー本体１の各係合孔４に各栓体３の各係合突起６が係合しており、スリーブＳがスリーブカバーＡ内の中央に位置し、しかも、スリーブカバーＡは電線Ｗに沿っていずれの方向にも移動不能に設けられることになる。
【００１９】
このようにして本発明に係るスリーブカバーＡは使用されるが、その間、スリーブカバーＡ内に流入した雨水は各栓体３の外周面に開設された水抜き孔７から外部へ排出されるので、スリーブカバーＡ内に雨水が溜まることはない。
【００２０】
次に、他のスリーブカバーについて図面に基づき詳しく説明する。図６は他のスリーブカバーの分解斜視図、図７（イ）は同スリーブカバーの組み立てた状態の拡大縦断面図、（ロ）は図７（イ）のＹ−Ｙ線拡大断面図である。他のスリーブカバーＢは、所定の長さと所定の外径を有すると共に中心軸線方向の両端が開放する直線筒状のカバー本体１１と、中心軸線方向の両端が開放し該カバー本体１１の両端の開放口１２，１２内にそれぞれ嵌入して接続される一対の栓体１３，１３と、からなる。これらカバー本体１１と一対の栓体１３，１３とは、共に同じ難燃性ポリエチレン樹脂により成形される。しかも、このスリーブカバーＢもカーボンが含有され不透明である。カバー本体１１における中心軸線方向の両端部にカバー本体１１の外径よりも少し径の小さい細径部１１ａが形成され、該各細径部１１ａに栓体１３に設けられた後記する係合部としての係合突起１６が係脱自在に係合する被係合部としての係合孔１４が開設されている。該係合孔１４は、細径部１１ａにおける外周面に対向位置して一対設けられる。
【００２１】
一方、各栓体１３は中心軸線方向の両端が開放する短筒状に形成され、中心軸線方向の中央より一端側がカバー本体１１の両端の開放口１２，１２に嵌入される内半部１３ｂになっている。内半部１３ｂの先端部は、外周面がその内端縁１３ｃに進むに従い漸次外径が窄まるテーパ面に形成される。また栓体１３の外周面全体には、中心軸線に沿って複数個列設される長孔状の水抜き孔１７が開設される。このうち、内半部１３ｂの内端縁１３ｃ側に位置する水抜き孔１７であって、外周面に対向位置する一対の水抜き孔１７ａ，１７ａは、内半部１３ｂの内端縁１３ｃに達し開放されている。これは、該各水抜き孔１７ａによって内半部１３ｂが少し法線方向に沿って撓み窄むことができるようにするためである。これにより、各栓体１３がカバー本体１１両端の開放口１２，１２に挿入し易くなる。また、各栓体１３の中心軸線方向の中央部に、係合部としての一対の係合突起１６，１６が突設されている。
【００２２】
前記各栓体１３における係合突起１６から内半部１３ｂの内端縁１３ｃまでの長さは、係合突起１６が係合孔１４に係合したとき内半部１３ｂの内端縁１３ｃがスリーブＳの中心軸線方向の両端面Ｓ１，Ｓ１に対向位置して当接するように設定される。これにより、スリーブＳはその両端面Ｓ１，Ｓ１を各栓体１３における内半部１３ｂの内端縁１３ｃにより両側から挟まれることになり、かつスリーブＳが他のスリーブカバーＢの中央に位置する。
【００２３】
次に、他のスリーブカバーＢの電線への取付方向を説明する。図８乃至図９は他のスリーブカバーの取付手順を示す断面図、図１０は同スリーブカバーの電線への取付状態を示す断面図である。前記したように電線Ｗは高圧配電線であって、該電線Ｗを接続するには、まず、図８に示すように一方の開放口１２に一方の栓体１３を嵌入すると共に、各係合突起１６を各係合孔１４に係合する。このようなカバー本体１１に一方の電線Ｗ１を挿通する。また他方の栓体１３に、他方の電線Ｗ２を挿通する。
【００２４】
そして、図９に示すように両電線Ｗ１，Ｗ２の芯線Ｄ１，Ｄ２の端部同士を直線スリーブＳによって接続した後に、図１０に示すように前記カバー本体１１でスリーブＳを被覆すると共に該カバー本体１１の一端の開放口１２に栓体１３を嵌入して、各係合孔１４に各係合突起１６を係合させる。このとき、図１０に示すようにスリーブＳの中心軸方向の両端面Ｓ１，Ｓ１に、各栓体１３における内半部１３ｂの内端縁１３ｃが当接しスリーブＳを電線Ｗの中心軸線での両側から挟む。また、カバー本体１１の各係合孔１４に各栓体１３の各係合突起１６が係合しており、スリーブＳがスリーブカバーＢ内の中央に位置し、しかも、他のスリーブカバーＢは電線Ｗに沿っていずれの方向にも移動不能に設けられることになる。このようにして他のスリーブカバーＢは使用されるが、その間、該スリーブカバーＢ内に流入した雨水は各栓体１３の外周面に開設された水抜き孔１７から外部へ排出されるので、スリーブカバーＢ内に溜まることはない。
【００２５】
以上のように、本発明のスリーブカバーＡ，Ｂは、各栓体３，１３の中心軸線方向の一端側をカバー本体１，１１の各開放口２，１２にそれぞれ同じ長さ嵌入すると共に係合突起６，１６と係合孔４，１４とを互いに係合して接続する。この状態では、各栓体３，１３におけるカバー本体１，１１内の先端、すなわち内半部３ｂ，１３ｂの内端縁３ｃ，１３ｃ、がスリーブＳの中心軸線方向の両端面Ｓ１，Ｓ１にそれぞれ対向位置し、スリーブＳがスリーブカバーＡ，Ｂの中央に位置すると共に電線Ｗに沿った該スリーブカバーＡ，Ｂの移動も規制される。このように、カバー本体１，１１の両端開放口２，１２に嵌入させる両栓体３，１３によりスリーブＳを両側から挟むようにしているので、スリーブＳを中央に位置させた状態で該スリーブＳにスリーブカバーＡ，Ｂを被覆できる。
【００２６】
また、本発明のスリーブカバーＡ，Ｂは、電線Ｗの中心軸線方向で両栓体３，１３により両側からスリーブＳを挟むようにしてスリーブカバーＡ，Ｂが電線ＷのスリーブＳに取り付けられる。よって、該スリーブカバーＡ，Ｂを長期に亘って使用しても電線Ｗに沿って不必要に移動することがなく、沿面距離が短くて危険な状態になったりスリーブＳの一部が外部に露出してしまうといった危険性が回避される。
【００２７】
更に、カバー本体１，１１の両端開放口２，２，１２，１２に栓体３，１３を嵌入する構成であるから、栓体３，１３の肉厚を極力薄くすることによりカバー本体１，１１の外径をできる限り電線Ｗの外径に近づけることができる。これにより、樹木の枝などによって表面に傷が付かないように電線Ｗに被着する電線保護カバー（図示せず。）の外径も小さくでき好適である。しかも、該電線保護カバーの外径を小さくできることから、その風圧抵抗を減少させられるという利点もある。
【００２８】
更にまた、栓体３，１３の外周面に外部と連通する複数の水抜き孔７，１７を開設するようにしているので、スリーブカバーＡ，Ｂ内に流入する雨水を簡単に排出させることができ、スリーブカバーＡ，Ｂ内に雨水が溜らないことから、スリーブの劣化や送電障害が防止できる。
【符号の説明】
【００２９】
１              カバー本体
２              開放口
３              栓体
４              被係合部（係合孔）
６              係合部（係合突起）
７              水抜き孔
１１            カバー本体
１２            開放口
１３            栓体
１４            被係合部（係合孔）
１６            係合部（係合突起）
１７            水抜き孔
Ａ              スリーブカバー
Ｂ              スリーブカバー
Ｓ              スリーブ
Ｗ              電線
【図１】
2012119155.tif 000003
【図２】
2012119155.tif 000004
【図３】
2012119155.tif 000005
【図４】
2012119155.tif 000006
【図５】
2012119155.tif 000007
【図６】
2012119155.tif 000008
【図７】
2012119155.tif 000009
【図８】
2012119155.tif 000010
【図９】
2012119155.tif 000011
【図１０】
2012119155.tif 000012